(57)【特許請求の範囲】
【請求項１】
設置面上に配置した複数のスパイクベースによって対応のスパイクフィートの先端部を支持する形式の音響機器等またはその収容体の設置に使用する補助シートであって、
前記複数のスパイクベースを位置決めする位置決め用開口を有し、音響機器等またはその収容体の設置の際に前記設置面上に配置され、かつ前記設置の終了後は前記設置面上から除去可能であることを特徴とする音響機器等またはその収容体の設置用補助シート。
【請求項２】
請求項１において、
可撓性の素材から成り、前記設置終了後の設置面上からの除去はその原形を保ったまま行われることを特徴とする音響機器等またはその収容体の設置用補助シート。
【請求項３】
請求項２において、
前記位置決め用開口のそれぞれと最寄りの周辺部との間に形成される切り欠きであって前記設置終了後の除去の際に前記位置決めされたスパイクベースのそれぞれの通過を可能とする複数の切り欠きが形成されたことを特徴とする音響機器等またはその収容体の設置用補助シート。
【請求項４】
請求項２において、
複数の部分に分割されたことを特徴とする音響機器等またはその収容体の設置用補助シート。
【発明の詳細な説明】
【０００１】
【発明の属する技術分野】
本発明は、床上に配置したスパイクベースにスパイクフィートの先端部を支持する形式のスピーカやアンプなどの音響機器等またはラックやスピーカスタンドなどの音響機器収容体の設置に使用する補助具に関するものである。
【０００２】
【従来の技術】
スピーカやアンプなどの音響機器を床面などに設置する場合、図７に示すように、音響機器Ｕの底面にスパイクフィートともチューニングフィートとも称される先鋭な先端部を有する円錐形状の足ＳＦを複数本取り付け、各スパイクフィートＳＦの先鋭な先端部を、床面Ｆ上に配置した板状のスパイクベースＳＢで受けるという形式の設置方法が採用される。この設置方法によれば、音響機器Ｕと床面Ｆとの間の接触面積が最小に保たれ、両者の音響的絶縁が行われる。この結果、音響機器は空中に浮かせたかのような理想的な設置状態に近づけられ、極めて高い音質で動作する。
【０００３】
【発明が解決しようとする課題】
上記従来のスパイクフィートを使用する音響機器の設置方法では、予め床に配置したスパイクベースと、スパイクフィートとの位置あわせに時間と労力がかかるという問題がある。設置しようとする音響機器が大型のスピーカの場合、重量が６０〜８０ｋｇもの大きな値になるものもあり、数人が共同で設置作業を行うことが多い。また、この種の音響機器の設置場所は、部屋の一隅などである場合が多い。このため、狭くて作業が困難な空間で複数人が共同作業する必要があり、スパイクベースとスパイクフィートとの位置合わせが一層困難になるという問題がある。極端な場合、スパイクベースとスパイクフィートとの位置合わせに時間と労力がかかり、設置作業に数十分も費やすことがある。
【０００４】
従って、本発明の一つの目的はスパイクベースとスパイクフィートとの位置合わせを容易にする簡易・安価な補助具を提供することにある。
【０００５】
【課題を解決するための手段】
上記従来技術の課題を解決する本発明の音響機器設置用補助シートは、床上に配置した複数のスパイクベースによって対応のスパイクフィートの先端部を支持する形式の音響機器の設置に使用される。そして、この補助シートは、複数のスパイクベースを位置決めする位置決め用開口を有し、音響機器の設置の際に設置面上に配置され、かつ設置の終了後は設置面上から除去可能であることにより、容易な位置決めを可能とするように構成されている。
【０００６】
【発明の実施の形態】
本発明の好適な実施の形態によれば、可撓性の素材から成り、前記設置終了後の設置面上からの除去はその原形を保ったまま行われることにより、反復使用が可能なように構成されている。
【０００７】
本発明の他の好適な実施の形態によれば、上記位置決め用開口のそれぞれと最寄りの周辺部との間に形成される切り欠きであって、設置終了後の除去の際にスパイクベースのそれぞれの通過を可能とする複数の切り欠きが形成されることにより、この補助シートを床面などの設置面から原形を保ったまま回収可できるように構成されている。
【０００８】
本発明のさらに他の好適な実施の形態によれば、補助シートは複数の部分に分割されることにより、スパイクフィートが３本以上の場合でも、原形を保ったまま除去可能なように構成される。
【０００９】
【実施例】
図１は、本発明の一実施例の音響機器設置用補助シートの構成を示す平面図である。この実施例の補助シートＳは、厚み数ｍｍの樹脂や厚紙などの素材からなり可撓性を有している。補助シートＳは、３個のスパイクベースのそれぞれを位置決めする３個の半円形状の位置決め用開口Ｏ１，Ｏ２，Ｏ３を有している。３個の位置決め用開口Ｏ１，Ｏ２，Ｏ３は、この音響機器に取付けられる３本のスパイクフィートの先端部に一致する位置に形成されている。位置決め用開口Ｏ１と最寄りの周辺部である上辺との間に切り欠きＣが形成されている。この補助シートＳは、この音響機器の出荷時に、本体と一緒にダンボール箱の中に梱包される。
【００１０】
音響機器を床面に設置する場合、まず、この補助シートＳがこの音響機器を設置しようとする床面に配置される。次に、図２の平面図に示すように、補助シートＳの３個の位置決め用開口Ｏ１，Ｏ２，Ｏ３に３個のスパイクベースＳＢ１，ＳＢ２，ＳＢ３のそれぞれを位置合わせされる。このようにして、位置合わせした各スパイクベースの中心にスパイクフィートの先端が配置されるように、音響機器が位置決めされる。
【００１１】
この位置決めによる音響機器の設置が終了すると、補助シートＳが床面から除去される。この補助シートＳの床面からの除去は、この補助シートＳを床面に平行な状態で図２の下方に移動させることによって行われる。この除去の際、スパイクベースＳＢ１が位置決め用開口Ｏ１と上辺との間に形成された切り欠きＣを通過することにより、補助シートＳの破壊が防止され、補助シートＳは原形を保ったまま回収される。この補助シートＳは可撓性のため、丸められて保存され、音響機器の配置替えなどの際、再利用される。
【００１２】
図３は、本発明の他の実施例の音響機器設置用補助シートＳの構成を示す平面図である。この補助シートＳは中央部分の斜めの線で二つの部分Ｓ１とＳ２とに分割されている。一方のシートＳ１には、半円形状の位置決め用開口Ｏ１、Ｏ２が形成されると共に、これら位置決め用開口と最寄りの周辺部との間に切り欠きＣ１，Ｃ２が形成されている。他方のシートＳ２には、半円形状の位置決め用開口Ｏ３、Ｏ４が形成されると共に、これら位置決め用開口と最寄りの周辺部との間に切り欠きＣ３，Ｃ４が形成されている。
【００１３】
音響機器を床面に設置する場合、まず、このＳ１，Ｓ２から成る補助シートＳがこの音響機器を設置しようとする床面に配置される。次に、図４の平面図に示すように、補助シートＳ１，Ｓ２の４個の位置決め用開口Ｏ１〜Ｏ４に４個のスパイクベースＳＢ１〜ＳＢ４のそれぞれが位置合わせされる。このようにして、位置合わせされた各スパイクベースＳＢ１〜ＳＢ４の中心に４本のスパイクフィートの先端が配置されるように、音響機器が位置決めされる。
【００１４】
この位置決めによる音響機器の設置が終了すると、補助シートＳ１，Ｓ２が床面から除去される。この補助シートＳ１，Ｓ２の床面からの除去は、次のようにして行われる。まず、各補助シートＳ１，Ｓ２を床面に平行な状態でかつそれぞれの中央部分を上下に重なり合わせて中央部に移動させ、それぞれの左または右の端部が対応のスパイクベースよりも中央側に移動した状態とする。この際、スパイクベースＳＢ１〜ＳＢ４は、対応の切り欠きＣ１〜Ｃ４内を移動する。次に補助シートＳ１，Ｓ２が図４中の下方に移動させれ、音響機器の下方から外側に取り出される。
【００１５】
このように、切り欠きＣ１〜Ｃ４を形成するとともに、補助シートを二つの部分に分割することにより、音響機器のスパイクフィートが４本の場合でも、補助シートを破壊することなく原形を保ったまま床面などの設置面から除去できる。この補助シートＳ１，Ｓ２は可撓性のため、丸められて保存され、音響機器の配置替えなどの際、再利用される。
【００１６】
図５は、本発明のさらに他の実施例の音響機器設置用補助シートＳの構成を示す平面図である。この補助シートＳは中央部分の斜めの線で二つの部分Ｓ１とＳ２とに分割されている。一方の補助シートＳ１には、半円形状の位置決め用開口Ｏ１、Ｏ２が形成されると共に、これら位置決め用開口と最寄りの周辺部との間に斜めの切り欠きＣ１，Ｃ２が形成されている。他方の補助シートＳ２には、半円形状の位置決め用開口Ｏ３、Ｏ４が形成されると共に、これら位置決め用開口と最寄りの周辺部との間に斜めの切り欠きＣ３，Ｃ４が形成されている。
【００１７】
位置決め用開口Ｏ１〜Ｏ４のそれぞれに４個のスパイクベースのそれぞれを位置決めさせ、それぞれのスパイクベースに対応のスパイクフィートを位置決めすることにより、音響機器が設置される。この位置決めによる音響機器の設置が終了すると、補助シートＳ１，Ｓ２が床面から除去される。これらの床面からの除去は、次のようにして行われる。まず、各補助シートＳ１，Ｓ２を床面に平行な状態でかつそれぞれの中央部分を上下に重なり合わせて中央側斜め下方に移動させ、それぞれの左または右の端部が対応のスパイクベースよりも中央側に移動した状態とする。この際、スパイクベースは、対応の切り欠きＣ１〜Ｃ４内を移動する。次に補助シートＳ１，Ｓ２が図４中の下方に移動させれ、音響機器の下方から外側に取り出される。
【００１８】
図６は、本発明のさらに他の実施例の音響機器設置用補助シートＳの構成を示す平面図である。この補助シートＳも同様に、中央部分の斜めの線で二つの部分Ｓ１とＳ２とに分割されている。一方の補助シートＳ１には、半円形状の位置決め用開口Ｏ１、Ｏ２が形成されると共に、これら位置決め用開口と最寄りの周辺部との間に斜めの切り欠きＣ１，Ｃ２が形成されている。他方の補助シートＳ２には、半円形状の位置決め用開口Ｏ３が形成されると共に、これら位置決め用開口と最寄りの周辺部との間に斜めの切り欠きＣ３が形成されている。
【００１９】
音響機器の設置後の床面からの除去は次のようにして行われる。すなわち、一方の補助シートＳ１は右斜め下方に移動させたのち、下方に引き出されることにより音響機器下方の床面から除去される。他方の補助シートＳ２は左斜め下方に移動させることにより濃度機器下方の床面から除去される。この場合、補助シートＳ１を破壊することなく回収可能とするために、この補助シートＳ１の上辺の長さが開口Ｏ２とＯ３の最短距離よりも短くなるように設定される。この条件を満たすために、補助シートＳ１の上辺に切り欠きＸが形成される。
【００２０】
以上、補助シートを二分割する場合、図３、図５、図６のように、斜めの線で二分割する構成を例示した。しかしながら、この二分割の線を左右の辺に平行な直立線とすることも可能である。
【００２１】
さらに、再利用するために、破壊することなく原形を保持したまま設置面から回収する構成を例示した。しかしながら、ボール紙などを素材として使い捨てとする場合には、破壊によって除去する構成を採用することもできる。
【００２２】
さらに、スパイクベースの位置決めのためには、補助シートの厚みは数ｍｍ以上であることが望ましい。しかしながら、折り畳みが可能な薄い紙などを素材とすることにより、保存が容易という利点を生かすこともできる。
【００２３】
また、アンプやスピーカなどの音響機器を直接床面などに設置する場合を例にとって本発明を説明した。しかしながら、アンプやスピーカなどの音響機器を収容するためのラックやスピーカスタンドなどの収容体を床面などに設置する場合についても本発明を適用できることは明らかである。
【００２４】
更に、音響機器やその収容体を設置する場合を例にとって本発明を説明した。しかしながら、音響効果以外の適宜な他の必要性に基づき、音響機器以外の電子装置をスパイクフィートとスパイクベースを用いて設置する場合にも本発明の補助シートを適用することができる。
【００２５】
【発明の効果】
以上詳細に説明したように、本発明の音響機器設置用補助シートは、複数のスパイクベースに対する位置決め用開口を有し、音響機器の設置の際に設置面上に配置され、かつ設置の終了後は設置面上から除去可能であるから、簡易・安価な構成によって位置決めが容易になるという効果が奏される。
【００２６】
本発明の好適な実施の形態によれば、可撓性の素材から成り設置終了後の設置面上からの除去はその原形を保ったまま行われる構成であるから、反復使用が可能になるという利点がある。
【００２７】
本発明の他の好適な実施の形態によれば、上記位置決め用開口のそれぞれと最寄りの周辺部との間に切り欠きを形成する構成であるから、この補助シートを床面などの設置面から原形を保ったまま回収することが一層容易になるという利点がある。
【００２８】
本発明のさらに他の好適な実施の形態によれば、補助シートは複数の部分に分割される構成であるから、スパイクフィートが３本以上の場合でも、原形を保ったまま容易に回収可能になるという利点がある。
【図面の簡単な説明】
【図１】本発明の一実施例の音響機器設置用補助シートの構成を示す平面図である。
【図２】上記図１の実施例の補助シートの使用方法を説明するための平面図である。
【図３】本発明の他の実施例の音響機器設置用補助シートの構成を示す平面図である。
【図４】上記図３の実施例の補助シートの使用方法を説明するための平面図である。
【図５】本発明のさらに他の実施例の音響機器設置用補助シートの構成を示す平面図である。
【図６】本発明のさらに他の実施例の音響機器設置用補助シートの構成を示す平面図である。
【図７】スパイクフィートとスパイクベースを使用する音響機器の設置の様子を示す図面である。
【符号の説明】
Ｓ            音響機器設置用補助シート
Ｓ１，Ｓ２        二分割された音響機器設置用補助シートの各部分
Ｏ１〜Ｏ４      半円形状の位置決め用開口
Ｃ１〜Ｃ４      位置決め用開口と最寄りの周辺部との間に形成される切り欠
ＳＢ１  〜ＳＢ４    スパイクベース
ＳＦ          スパイクフィート
Ｕ          音響機器
Ｆ          床面
【図１】
0003629010.tif 000002
【図２】
0003629010.tif 000003
【図３】
0003629010.tif 000004
【図４】
0003629010.tif 000005
【図５】
0003629010.tif 000006
【図６】
0003629010.tif 000007
【図７】
0003629010.tif 000008